(57)【要約】【課題】本発明は、予め設定された所定の曜日や時刻に基づいて、所定金額当たりのメダル貸し出し数を自動的に変更可能にすることである。【解決手段】貨幣の識別受け入れ装置で受け入れた貨幣の価値を判別し、その貨幣価値に基づいて予め設定された所定数の貸し出し信号を制御装置からホッパに出力し、所定数の遊技媒体をホッパから払い出す遊技媒体貸し装置において、時刻を計時する時計装置と、所定の時刻の遊技媒体貸し出し数を設定する設定装置と、前記設定装置の設定内容を表示する表示装置と、前記時計装置の時刻と前記設定装置の設定に基づいて前記表示装置の表示と前記ホッパの払い出し数を変更する切替装置と、を有する遊技媒体貸し装置である。【選択図】図２
2004105460.tif 000002
【特許請求の範囲】
【請求項１】
貨幣の識別受け入れ装置（３、１１）で受け入れた貨幣の価値を判別し、その貨幣価値に基づいて予め設定された所定数の貸し出し信号を制御装置（５）からホッパ（４）に出力し、所定数の遊技媒体をホッパ（４）から払い出す遊技媒体貸し装置において、
時刻を計時する時計装置（１３）と、
所定の時刻の遊技媒体貸し出し数を設定する設定装置（１４）と、
前記設定装置（１４）の設定内容を表示する表示装置（９）と、
前記時計装置（１３）の時刻と前記設定装置（１４）の設定に基づいて前記表示装置（９）の表示と前記ホッパ（４）の貸し出し数を変更する切替装置（１６）と、
を有する遊技媒体貸し装置。
【請求項２】
時計装置（１３）が、少なくともカレンダー情報と時刻情報を有し、設定装置（１４）が、曜日情報と時刻情報を記憶する請求項１の遊技媒体貸し装置。
【発明の詳細な説明】
【０００１】
【発明が属する技術分野】
本発明は、受け入れた貨幣に基づいて所定数のメダルを貸し出す遊技媒体貸し装置に関する。
特に、少なくとも時刻に基づいてメダルの貸し出し数を変更できる遊技媒体貸し装置に関する。
なお、本明細書で使用する「遊技媒体」は、ゲーム機用のメダル、トークン、代用コイン等を包含する。
以下、ゲーム機のメダル例として説明する。
【０００２】
【従来の技術】
従来のメダル貸し機は、紙幣、硬貨及びカード等の識別受け入れ装置と、メダル払い出しのためのホッパと、制御装置とが扉を有するボックス型の筐体に内臓されている。
この従来装置において所定金額当たりのメダル貸し出し数を変更する場合、扉を開いて制御装置に装着されているテンキー等を操作しての所定金額あたりの貸し出し数の設定を変更することにより行なっている。
また、所定金額当たりのメダルの貸し出し数の表示は、予め書き込んだボード等を筐体全面に取り付けている。
【０００３】
【発明が解決しようとする課題】
近年、集客の観点からタームサービスとして、所定の日或いは曜日の所定時刻に所定金額あたりのメダル貸し出し数を多くすることが要望されている。
しかし、従来の装置は、営業中に扉を開けて設定しなおさなければならず、煩雑であるとともに、貨幣の収納部が公衆に晒されることから安全上問題があった。また、複数のメダル貸し機がある場合、一斉に変更できないという問題もある。さらに、所定金額当たりのメダル貸し出し数の表示は、それらを書き込んだボードに交換したり、新たなボードを貼り付けたりせねばならず、煩雑である。
【０００４】
本発明の第１の目的は、所定金額当たりのメダル貸し出し数を自動的に変更可能にすることである。
本発明の第２の目的は、所定金額当たりのメダル貸し出し数の表示を自動的に変更することである。
本発明の第３の目的は、タイムサービスの設定を容易にすることである。
【０００５】
【課題を解決するための手段】
この目的を達成するため、本発明にかかるメダル貸し機は以下のように構成されている。
貨幣の識別受け入れ装置で受け入れた貨幣の価値を判別し、その貨幣価値に基づいて予め設定された所定数の貸し出し信号を制御装置からホッパに出力し、所定数の遊技媒体をホッパから払い出す遊技媒体貸し装置において、時刻を計時する時計装置と、所定の時刻の遊技媒体貸し出し数を設定する設定装置と、前記設定装置の設定内容を表示する表示装置と、前記時計装置の時刻と前記設定装置の設定に基づいて前記表示装置の表示と前記ホッパの払い出し数を変更する切替装置と、を有する遊技媒体貸し装置。
【０００６】
この構成において、設定装置に、所定時刻の所定金額に対する遊技媒体貸し出し数が複数設定される。
したがって、時計装置の時刻が設定装置に設定された所定時刻になると、切替装置によって表示装置の所定金額当たりのメダル貸し出し枚数の表示内容が変更される。
さらに、この時刻に遊技媒体の貸し出しが行われた場合、ホッパはその時刻に設定された所定数のメダルを払い出した後、停止する。
別の所定時刻になると、切替装置によって別の所定金額当たりの遊技媒体貸し出し数に切り替えが行われ、表示装置の表示とホッパの遊技媒体貸し出し数が変更される。
したがって、自動的に所定金額に対する遊技媒体貸し出し数の表示が切り替わるとともに、ホッパの払い出し数が変更されるので、変更作業が不要であり、かつ、扉を開けることがないので安全である。
【０００７】
本発明は、時計装置が、少なくともカレンダー情報と時刻情報を有し、設定装置が、曜日情報と時刻情報を記憶することが好ましい。
この構成において、設定装置に所定の曜日と所定の時刻を記憶した場合、時計装置が出力が所定曜日の所定時刻になったときに所定金額に対する遊技媒体貸し出し数の表示とホッパの払い出し数の切替が自動的に行われる。
したがって、設定装置において曜日と時刻を設定することにより１週間に一回は自動的にタイムサービスを行うことができ、設定作業が容易である。
【０００８】
【発明の実施の形態】
図１は、実施例のメダル貸し機の扉を開いた状態の斜視図である。
図２は、実施例のブロック図である。
図３は、実施例の制御装置のブロック図である。
図４は、実施例の表示装置の表示図である。
図５は、実施例の作動説明用のフローチャートである。
図６は、実施例の作動説明用のフローチャートである。
【０００９】
図１において、メダル貸し機１は、その箱型の筐体２内に紙幣識別受け入れ装置３、メダル払い出し用のホッパ４、制御装置５及び両替用のホッパ６が配置されている。
なお、ホッパは遊技媒体払い出し装置の総称であり、少なくとも遊技媒体の払い出し機能と検知機能を有していればよい。
【００１０】
紙幣識別受け入れ装置３は、受け入れた紙幣の真偽を判別し、真紙幣の場合、紙幣の金種を出力すると共に収納部に収納する。
制御装置５は、紙幣識別受け入れ装置３、硬貨識別受け入れ装置１１及び選択ボタンから信号を入力して所定の演算を行い、表示装置９、ホッパ４及び両替用ホッパ６を制御する。
【００１１】
制御装置６は、項目設定用のテンキー７を備えている。
扉８には、表示装置９が取り付けられている。
表示装置９は、一つの表示装置で多数の表示を行うことができる、液晶表示装置、ＣＲＴ、蛍光表示管、プラズマディスプレイ等のドット表示装置が好ましい。実施例の表示装置９は、上下に配置された横長の蛍光表示板９Ａと９Ｂとから構成されている。
【００１２】
蛍光表示板９Ｂの前面には、タッチパネル１０が配置されており、表示板９Ｂの表示に合わせて選択ボタン１７が配置される。
実施例において図６に示すように、１０００円、２０００円及び３０００円に対する貸し出しメダル数の選択ボタン１７Ａ、１７Ｂ及び１７Ｃと、両替ボタン１７Ｄが配置されている。
【００１３】
表示装置９の下方の扉８には、硬貨識別受け入れ装置１１が固定されている。
硬貨識別受け入れ装置１１は、受け入れた硬貨の真偽を判別し、真硬貨の場合、金種を出力すると共に金庫１０に収納する。
【００１４】
さらに、扉８には、ホッパ４からのメダルを受けるメダル貸し出し口１２と硬貨払い出し口１３が設けられている。
紙幣識別受け入れ装置３及び硬貨識別受け入れ装置１１が貨幣識別受け入れ装置であり、どちらか一方のみであってもよい。
【００１５】
さらに、貨幣識別受け入れ装置として、磁気カードやＩＣカードの読み込み書き込み装置を追加することができる。
ホッパ４は、メダルを１個払い出すごとにそれを直接あるいは間接に検知して検知信号を出力するカウントセンサ１８を有する。
【００１６】
これら装置は、図２に示す構成ブロック図のように接続されている。
すなわち、紙幣識別受け入れ装置３、硬貨識別受け入れ装置１１、時計装置１３及び設定装置１４が演算装置１５の入力に接続されている。
時計装置１３は、独自にクロックを内臓してカレンダー機能を有している。
すなわち、時計装置１３は、年月日情報、時刻情報、曜日情報を演算装置１５に出力する。
【００１７】
設定装置１４は、テンキー７の操作により、曜日と時刻を１グループとする設定を複数記憶することができる。
演算装置１５は、紙幣識別受け入れ装置３と硬貨識別受け入れ装置１１からの貨幣価値情報と、設定装置１４に設定された複数の設定のうち時計装置１３の曜日及び時刻に該当する設定とに基づいて切替装置１６を切替える。
切替装置１６は、設定装置１４に設定された曜日と時刻に相当する設定を表示装置９に表示するとともに、ホッパ４の払い出し数をその設定値にセットする。
【００１８】
この制御装置をマイクロプロセッサ２１を用いて構成する場合、図３に示すようになる。
すなわち、演算装置１５は、マイクロプロセッサ２１と、所定のプログラムを記憶したＲＯＭ２２と、ＲＡＭ２３とよりなり、設定装置１４と切替装置１６はプログラムに内包される。
【００１９】
次に本実施例の作用を説明する。
稼動に先立ち、設定装置１４の設定を行う。
すなわち、図５に示すように、まずステップＳ１において通常の料金とメダル貸し出し枚数の設定をテンキー７を用いて所定の手順で設定する。
例えば、１０００円で３０枚、２０００円で７０枚、３０００円で１２０枚である。
【００２０】
次いでステップＳ２において、サービスタイムの開始時刻と終了時刻とをテンキー７によって所定の手順で設定する。
例えば、開始時刻は、１０時に設定し、終了時刻を１１時に設定する。
次にステップＳ３において、サービスタイムの曜日を、例えば日曜日に設定する。
【００２１】
もちろんステップＳ２及びＳ３において設定しないこともできる。
両ステップで設定しない場合、ステップＳ１で設定した料金とメダル数に基づいて貸し出しが行われる。
ステップＳ２の開始と終了の時刻を設定し、ステップＳ３の曜日の設定を行わなかった場合、毎日それら時刻の間タイムサービスが行われる。
【００２２】
ステップＳ２の設定を行わず、ステップＳ３の曜日を設定した場合、設定曜日は一日サービスタイムになる。
次にステップＳ４において、サービスタイム時の料金と貸し出しメダル数とを所定の手順で設定する。
例えば、１０００円で４０枚、２０００円で１００枚、３０００円で２００枚である。
【００２３】
次にサービスタイム以外のメダル貸し出し処理を図６を参照して説明する。
まず、ステップＳ１０において、サービスタイム以外の金額とメダル枚数を表示装置９Ｂに図４（Ａ）に示すように表示する。
次に、ステップＳ１１においてサービスタイム設定の有無を判別し、設定がある場合、ステップＳ１２に進み、無い場合はステップＳ１４に進む。
【００２４】
ステップＳ１２において、サービスタイムの曜日が設定されているか判別する。
曜日が設定されていない場合、ステップＳ１３に進み、時計装置１３の情報に基づいてサービスタイムの開始時刻と終了時刻の間にあるか判別する。
【００２５】
サービスタイムでない場合、ステップＳ１４に進み、紙幣識別受け入れ装置３または硬貨識別受け入れ装置１１からの識別情報の有無を判別する。
両装置から受け入れ信号がない場合、ステップＳ１２に戻って曜日の設定判別を行う。
【００２６】
両装置の少なくとも一方が受け入れ信号を出力している場合、例えば１千円の信号を出力している場合、ステップＳ１５に進み、押された選択ボタン１７の判別を行う。
例えば１千円の選択ボタン１７Ａが押された場合、ステップＳ１６においてモーター（図示せず）を回転させてホッパ４からメダルを払い出す。
【００２７】
１つのメダルの払い出し毎にホッパ４のカウントセンサー１８からカウント信号が出力される。
ステップＳ１７において、カウント信号の有無を判別し、カウント信号が有る場合、ステップＳ１８においてカウントする。
次にステップＳ１９において、タイムサービス以外に設定された貸し出し数であるか判別され、未達の場合、ステップＳ１７に戻り、メダルの払い出しを継続する。
【００２８】
ステップＳ１７においてカウントセンサー１８からの信号がない場合、カウント信号の待機状態になる。
ステップＳ１９において貸し出しメダル数に達した場合、ステップＳ２０に進み、ホッパ４のモーターを停止して貸し出しを終了し、ステップＳ１２に戻る。
【００２９】
次にタイムサービスが設定されているケースのメダル貸し出し処理を説明する。
ステップＳ１２において、曜日が設定されている場合、ステップＳ２１に進み、タイムサービスに設定された曜日であるか判別し、設定された曜日でない場合、ステップＳ１４に進み、設定された曜日の場合、ステップＳ１３に進む。
【００３０】
ステップＳ１３において、サービスタイムに設定された時刻の場合、ステップＳ３１に進み、ステップＳ４で設定されたタイムサービス時の料金とメダル枚数を表示装置９Ｂに図４（Ｂ）に示すように表示し、ステップＳ３２に進む。
ステップＳ３２において、料金投入を判別して投入があった場合、ステップＳ３３に進み、選択ボタン１７が押されたか判別する。
【００３１】
ステップＳ３３において、選択ボタン１７が押された場合、ステップＳ３４に進み、ホッパー４のモーターを回転してメダルを払い出す。
次にステップＳ３５においてカウントセンサー１８からのカウント信号の有無を判別し、信号がある場合ステップＳ３６に進み、カウント信号をカウントする。
【００３２】
次にステップＳ３７においてカウント値がタイムサービス時のメダル数になったかを判別し、未達の場合ステップＳ３５に戻り、メダルの払い出しを継続する。
タイムサービスのメダル数になった場合、ステップＳ３８に進み、ホッパー４のモーターを停止して貸し出しを終了し、ステップＳ３２に戻る。
【００３３】
ステップＳ３２において、料金の投入がない場合、ステップＳ３９に進み、タイムサービスの終了時刻になったか判別し、終了時刻でない場合ステップＳ３２に戻る。タイムサービス時刻を過ぎた場合、ステップＳ１０に戻り、通常の料金とメダル枚数に表示装置９Ｂの表示を変更する。
【００３４】
本発明は、タイムサービスの設定を、所定の日、例えば、１０日、２０日、３０日に設定することができる。
さらに、乱数発生回路によって、タイムサービスの開始・終了の時刻を営業時間中の任意の時刻になるようにしてもよい。
本発明は、少なくともタイムサービスの開始と終了の時刻を設定できればよいが、曜日や日の設定によってタイムサービスのバリエーションが増える効果がある。
本発明は、制御装置にスピーカーを接続し、表示装置９Ａのタイムサービス中の表示に加え、音声で宣伝することができる。
【００３５】
【図面の簡単な説明】
【図１】図１は、実施例のメダル貸し機の扉を開いた状態の斜視図である。
【図２】図２は、実施例のブロック図である。
【図３】図３は、実施例の制御装置のブロック図である。
【図４】図４は、実施例の表示装置の表示図である。
【図５】図５は、実施例の作動説明用のフローチャートである。
【図６】図６は、実施例の作動説明用のフローチャートである。
【符号の説明】
３　　　　紙幣識別受け入れ装置
４　　　　ホッパ
５　　　　制御装置
９　　　　表示装置
１１　　　　硬貨識別受け入れ装置
１３　　　時計装置
１４　　　設定装置
１６　　　切替装置
【図１】
2004105460.tif 000003
【図２】
2004105460.tif 000004
【図３】
2004105460.tif 000005
【図４】
2004105460.tif 000006
【図５】
2004105460.tif 000007
【図６】
2004105460.tif 000008